(57)【要約】【課題】電子機器の筐体外面に設けられた操作機構に設けられるねじ隠し蓋であって、操作機構を分解する場合に、ねじ隠し蓋以外の外観部品に傷がつくことのないねじ隠し蓋を得る。【解決手段】カメラ前面部２０の側壁２０ａの開口内に、操作機構３０が固定される。回転軸２０３は固定部材１０１に挿通される。回転軸２０３にフォーカスモードレバー２０４が嵌着される。回転軸２０３のねじ穴２０３ｂに、筐体の外側からねじ２０５が螺合され、ねじ２０５の頭部２０５ａと回転軸２０３によりフォーカスモードレバー２０４が固定される。ねじ隠し蓋２０７はねじ２０５の頭部２０５ａを覆うように貼着される。ねじ隠し蓋２０７における内側面を凹陥させることにより、ねじ隠し蓋２０７の他の部分よりも肉厚が薄い薄肉部２０７ａが形成される。【選択図】図２
2015056621.tif 000002
【特許請求の範囲】
【請求項１】
電子機器の筐体の外面に設けられた操作機構に設けられ、前記筐体の外側から装着されたねじの頭部を覆う板状のねじ隠し蓋であって、
前記ねじ隠し蓋における内側面を凹陥させることにより、前記ねじ隠し蓋の他の部分よりも肉厚が薄い薄肉部を形成したことを特徴とするねじ隠し蓋。
【請求項２】
前記内側面において、前記薄肉部を除く部分に形成された位置決め用突起をさらに備え、
前記操作機構に設けられた位置決め用穴に、前記位置決め用突起が係合されることを特徴とする請求項１に記載のねじ隠し蓋。
【請求項３】
樹脂材料から成形され、前記薄肉部の厚さが０．５ｍｍ以下であることを特徴とする請求項１に記載のねじ隠し蓋。
【請求項４】
前記薄肉部が相対的に薄く成形された超薄肉部を有することを特徴とする請求項１に記載のねじ隠し蓋。
【請求項５】
前記ねじの頭部の外径が前記薄肉部の外径より大きく、前記ねじの中心軸と前記薄肉部の中心が同軸上にあることを特徴とする請求項１に記載のねじ隠し蓋。
【発明の詳細な説明】
【技術分野】
【０００１】
本発明は、電子機器の筐体外面に設けられた操作機構のねじの頭部を覆うねじ隠し蓋に関する。
【背景技術】
【０００２】
従来、カメラのオートフォーカス（ＡＦ）モードとマニュアルフォーカス（ＭＦ）モード等を切り替えるために使用される操作機構は、カメラ前面部の側面に設けられる。操作機構は、固定機構と回転機構とを備え、回転機構はユーザにより操作されるフォーカスモードレバーを有する。フォーカスモードレバーは通常、樹脂から成形された単一の部品である。固定機構はカメラ前面部の側面に固定され、回転機構の一部が固定機構に挿入された後、フォーカスモードレバーが、カメラ前面部の側面における内側からねじにより回転機構に締結される。しかしながらカメラ前面部は、グリップ部やマウント部が設けられ複雑な形状を有し、ねじの締結作業が困難である。
【０００３】
このため、フォーカスモードレバーをカメラの外側から操作機構にねじで締結する技術が検討されている。この場合、カメラの外観においてねじの頭部が見えるとデザイン性が低下するため、ねじの頭部を覆うねじ隠し蓋が必要である。
【０００４】
一方、電子機器の筐体の外側から装着されたねじの頭部を覆うねじ隠し蓋として特許文献１に開示されたものが知られている。筐体外面に形成され、貫通穴を有する凹部にねじが挿通され、ねじの頭部がその凹部内に収容される。ここでねじの頭部は凹部の入口よりも内側に位置する。次に、その凹部の入口にねじ隠し蓋が固定される。このねじ隠し蓋はシート状部品と弾性体とが一体化されたものであり、弾性体の部分のみが凹部に挿入されて、弾性体の反発力によりねじ隠し蓋が固定される。シート状部品は、弾性体よりも外径が大きいため、筐体外面に当接する。
【先行技術文献】
【特許文献】
【０００５】
【特許文献１】特開２０００−２２３８６３号公報
【発明の概要】
【発明が解決しようとする課題】
【０００６】
上述した特許文献１のねじ隠し蓋では、部品交換等の理由により筐体を分解する必要が生じた場合に、ねじ隠し蓋を取り外す際、ドライバ等をねじ隠し蓋の端部と筐体との間に挿し込むため、ねじ隠し蓋以外の筐体の部品に傷がつくことがあった。
【０００７】
本発明は、電子機器の筐体外面に設けられた操作機構に設けられるねじ隠し蓋であって、操作機構を分解する場合に、ねじ隠し蓋以外の外観部品に傷がつくことのないねじ隠し蓋を提供することを目的としている。
【課題を解決するための手段】
【０００８】
本発明に係るねじ隠し蓋は、電子機器の筐体の外面に設けられた操作機構に設けられ、筐体の外側から装着されたねじの頭部を覆う板状のねじ隠し蓋であって、ねじ隠し蓋における内側面を凹陥させることにより、ねじ隠し蓋の他の部分よりも肉厚が薄い薄肉部を形成したことを特徴としている。
【０００９】
好ましくは、内側面において、薄肉部を除く部分に形成された位置決め用突起をさらに備え、操作機構に設けられた位置決め用穴に、位置決め用突起が係合される。また、好ましくは、樹脂材料から成形され、薄肉部の厚さが０．５ｍｍ以下である。また、好ましくは、薄肉部が相対的に薄く成形された超薄肉部を有する。また、好ましくは、ねじの頭部の外径が薄肉部の外径より大きく、ねじの中心軸と薄肉部の中心が同軸上にある。
【発明の効果】
【００１０】
本発明によれば、電子機器の筐体外面に設けられた操作機構に設けられるねじ隠し蓋であって、操作機構を分解する場合に、ねじ隠し蓋以外の外観部品に傷がつくことのないねじ隠し蓋を得る。
【図面の簡単な説明】
【００１１】
【図１】本発明の第１の実施形態であるカメラの構成を示す側面図である。
【図２】操作機構の断面図である。
【図３】第２の実施形態である操作機構の断面図である。
【図４】ねじ隠し蓋の内側面から見た図である。
【発明を実施するための形態】
【００１２】
以下、本発明の実施の形態を図面を参照して説明する。図１は撮影レンズを外した状態のカメラの側面図である。この図に示されるように、カメラボディのカメラ前面部２０の側面において、下部には、ＡＦモードとＭＦモード等を切り替えるために使用される操作機構３０が設けられる。カメラボディの上面にはストロボ４０が設けられ、ストロボ４０の下側にはストロボ４０をポップアップさせるためのストロボポップアップボタン５１が設けられる。図１の紙面において、ストロボポップアップボタン５１を通る鉛直直線上の位置にＸ端子５２とＡＦモード切替ボタン５３が設けられる。ＡＦモードにおいてＡＦモード切替ボタン５３を押しながら、カメラ１０の背面に設けられた図示しない電子ダイヤルを回すことにより、ＡＦのコンティニュアスモード（ＡＦ．Ｃ）とシングルモード（ＡＦ．Ｓ）の切替が可能である。
【００１３】
Ｘ端子５２とＡＦモード切替ボタン５３の間で、これらの前側に、ＲＡＷボタン５４が設けられる。撮影する前にＲＡＷボタン５４が押下されると、その撮影により得られた画像データはＲＡＷ形式で保存される。ＲＡＷボタン５４の後方で、カメラ１０を前方から見て右側（図１の紙面に対して手前側）のカメラボディ側面には、撮影された動画の音声を聞くために使用されるヘッドフォン端子５５が設けられる。ヘッドフォン端子５５が設けられる部分は前方に突出している。このためＲＡＷボタン５４は、ストロボポップアップボタン５１、Ｘ端子５２およびＡＦモード切替ボタン５３の直線状の配列よりも前方に位置する。ヘッドフォン端子５５の上方でＸ端子５２の後方には、外部マイク用端子５６と、吊り金具５７が設けられる。外部マイク用端子５６の上方でカメラボディの上面には、モードダイヤル５８が設けられる。
【００１４】
図２に示されるように、操作機構３０は固定部１００と回転部２００とを備える。固定部１００は、固定部材１０１、第１のＯリング１０２、コイルばね１０３、金属ボール１０４、第２のＯリング１０５、樹脂シート１０６を備える。回転部２００は、円板２０１、突起２０２、回転軸２０３、フォーカスモードレバー２０４、ねじ２０５、両面テープ２０６、ねじ隠し蓋２０７を備える。
【００１５】
まず固定部１００について説明する。樹脂製の円環状固定部材１０１はカメラ前面部２０の側壁２０ａの開口内に固定される。固定部材１０１と側壁２０ａとの間には防水用の第１のＯリング１０２が設けられる。固定部材１０１の外側面には円柱状の複数の凹部１０１ａが形成されており、各凹部１０１ａには、それぞれコイルばね１０３が設けられる。金属ボール１０４はコイルばね１０３の外側端面に設けられる。コイルばね１０３と金属ボール１０４は、操作機構３０が回転操作されるときのクリック感を発生させるため、および回転部２００に軸方向荷重を付与するために設けられる。
【００１６】
次に回転部２００について説明する。円板２０１に、突起２０２と回転軸２０３とが加締めにより固定される。円板２０１、突起２０２および回転軸２０３は金属により成形される。突起２０２はカメラボディ内部に設けられたスイッチに係合する。回転軸２０３は固定部材１０１に形成された穴に挿通される。回転軸２０３と固定部材との間には防水用の第２のＯリング１０５が設けられる。円板２０１と、固定部材１０１との間には樹脂シート１０６が設けられる。樹脂シート１０６は、マグネシウム合金で形成されたカメラ前面部２０と金属製の円板２０１とを離間させるために設けられる。
【００１７】
回転軸２０３に形成された小径部２０３ａに、フォーカスモードレバー２０４が嵌着される。回転軸２０３の外側端面に形成されたねじ穴２０３ｂに、ねじ２０５が螺合され、ねじ２０５の頭部２０５ａと回転軸２０３によりフォーカスモードレバー２０４が挟まれて固定される。すなわちねじ２０５は筐体の外側から装着される。フォーカスモードレバー２０４の外側面に形成された第１の凹部２０４ａ内にねじ２０５の頭部２０５ａが収容される。フォーカスモードレバー２０４の外側面には第１の凹部２０４ａよりも内径が大きく、外側に位置する第２の凹部２０４ｂが形成される。
【００１８】
第２の凹部２０４ｂには両面テープ２０６により板状のねじ隠し蓋２０７が貼着される。すなわちねじ隠し蓋２０７はねじ２０５の頭部２０５ａを覆う。ねじ隠し蓋２０７の外側面とフォーカスモードレバー２０４の外側面とは、連続的な曲面に形成される。
【００１９】
ねじ隠し蓋２０７は樹脂材料から成形され、ねじ隠し蓋２０７における内側面を凹陥させることにより、ねじ隠し蓋２０７の他の部分よりも肉厚が薄い薄肉部２０７ａが形成される。薄肉部２０７ａの厚さは０．５ｍｍ以下である。薄肉部２０７ａの肉厚と、ねじ隠し蓋２０７の最も肉厚が厚い部分の肉厚との比は約１：２である。ねじ隠し蓋２０７における内側面の凹陥した部分の断面形状は、図２に示されるように台形である。この台形の短い方の底辺に対応するねじ隠し蓋２０７の部分が、薄肉部２０７ａである。すなわち薄肉部２０７ａと、ねじ隠し蓋２０７の最も肉厚が厚い部分とをつなぐ部分の肉厚は緩やかに変化する。
【００２０】
図１に示されるように、薄肉部２０７ａは円板形状に成形され、その外径は約３．０ｍｍである。薄肉部２０７ａの外径とねじ隠し蓋２０７の外径との比は約２：５である。薄肉部２０７ａの外径とねじ２０５の頭部２０５ａにおける外径との比は約７：１０である。すなわちねじ２０５の頭部２０５ａの外径が薄肉部２０７ａの外径より大きく、ねじ２０５の中心軸と薄肉部２０７ａの中心が同軸上にある。
【００２１】
以上のように本実施形態において、ねじ隠し蓋２０７には薄肉部２０７ａが形成される。これにより、操作機構３０を分解する必要が生じた場合に、ピンセット等の工具の先端を薄肉部２０７ａに突き刺して、工具の先端をねじ隠し蓋２０７に係合させた状態で工具を斜めに傾けることにより、ねじ隠し蓋２０７を操作機構３０から離脱させることができる。この際、薄肉部２０７ａに穴が形成されるが、ねじ隠し蓋２０７以外の外観部品（カメラボディの外面）に傷がつくことはない。またユーザは薄肉部２０７ａをカメラ１０の外見から認識できず、デザイン性が低下しない。また、ねじ２０５の頭部２０５ａの外径が薄肉部２０７ａの外径より大きく、ねじ２０５の中心軸と薄肉部２０７ａの中心が同軸上にあるので、薄肉部２０７ａに工具を突き刺したときに工具がねじ２０５の頭部２０５ａに突き当たり、フォーカスモードレバー２０４における第２の凹部２０４ｂに傷がつくことがない。
【００２２】
図３は第２の実施形態を示す。この実施形態では、ねじ隠し蓋２０７の内側面に位置決め用突起２０７ｂが形成されている。複数の位置決め用突起２０７ｂは、薄肉部２０７ａの外周側にある環状厚肉部２０７ｃの内面に形成される。フォーカスモードレバー２０４には、各位置決め用突起２０７ｂが挿入される貫通穴である複数の位置決め用穴２０４ｃが形成される。位置決め用突起２０７ｂおよび位置決め用穴２０４ｃは、固定部材におけるコイルばね（図２の１０３）および金属ボール（図２の１０４）が設けられる位置には形成されない。すなわち図２の断面と図３の断面とは操作機構の回転中心回りに異なる断面である。位置決め用突起２０７ｂおよび位置決め用穴２０４ｃを除き、図３の操作機構の構成は第１の実施形態と共通である。
【００２３】
本実施形態は装着状態におけるねじ隠し蓋２０７の回転角度位置が定まるので、後述するように、薄肉部２０７ａがねじ隠し蓋２０７の中心から外れた位置にある場合や、薄肉部２０７ａが相対的に薄く成形された超薄肉部２０７ｄがねじ隠し蓋２０７の中心から外れた位置に設けられる場合に特に有効である。図４は超薄肉部２０７ｄの例を示し、超薄肉部２０７ｄは半円形状であって、ねじ隠し蓋２０７の中心よりも図の左側に形成され、薄肉部２０７ａよりも薄肉に成形される。
【００２４】
超薄肉部２０７ｄのように工具を突き刺す部分をねじ隠し蓋２０７の中心から外れた位置に設けることにより、工具を深く挿し込むことができ、ねじ隠し蓋２０７の離脱が容易となる。また、ねじ隠し蓋２０７に位置決め用突起２０７ｂが形成されるので、薄肉部２０７ａが半円形状の超薄肉部２０７ｄを有する場合でも、操作機構を分解する作業者は設計図面から工具を突き刺すべき超薄肉部２０７ｄの位置を簡単に把握できる。
【符号の説明】
【００２５】
１０  カメラ
２０  カメラ前面部
２０ａ  側壁
３０  操作機構
２０４ｃ  位置決め用穴
２０５  ねじ
２０５ａ  頭部
２０７  ねじ隠し蓋
２０７ａ  薄肉部
２０７ｂ  位置決め用突起
２０７ｄ  超薄肉部
【図１】
2015056621.tif 000003
【図２】
2015056621.tif 000004
【図３】
2015056621.tif 000005
【図４】
2015056621.tif 000006